(57)【要約】      （修正有）【課題】本考案は、米の包装用保型容器に関するもので、米を詰める容器は真空圧空成形又は射出成形による樹脂加工することにより、積み重ねたりしても容器が変形したせず、内容物の品質を損なうことがないようにした。【解決手段】プラスチック素材で成形した１合入り、２合入り、３合入り、４合入り、５合入り等の容量入りを適宜に選定した凹部(2)付き円筒形容器本体(1)に精米もしくは胚芽精米、または無洗米や玄米、発芽米等の米(3)を容器開口(11)を閉止する蓋(4)によって密封包装し、且つ前記容器本体の直径(R)を５．０〜１０．０cm、高さ８．０〜１５．０程度に設定した米の包装用保型容器。【選択図】図１
0003127908.tif 000002
【実用新案登録請求の範囲】
【請求項１】
プラスチック形素材で成形した１合入り又は２合入り又は３合入り等の円筒形容器体(1)に精米若しくは胚芽米の精米又は無洗米や発芽米等の米(3)を収容すると共に、容器開口(11)を容器本体と同一素材の蓋体(4)を被冠し、又は別の接着剤付きシート素材の蓋体(4)で密封したことを特徴とする米の包装用保型容器。
【請求項２】
直径(R)が５．０cm〜１０．０cm、高さ(H)が８．０cm〜１５．０cmの範囲内に設定したプラスチック形素材で成形した１合入り又は２合入り又は３合入り等の円筒形容器体(1)の胴部(12)に凹部(2)を形成し、且つ商品名等表示(6)・品質表示等表示(7)を印刷した円形容器本体(1)に巻き付けて熱収縮により密着させ、精米若しくは胚芽米の精米又は無洗米や発芽米等の米(3)を収容すると共に、容器開口(11)を容器本体と同一素材の蓋体(4)を被冠し又は、アルミニウム箔材の蓋体(4)を接着剤を介して密着包装し、且つ当該蓋体の裏面に袋体入り脱酸素剤(8)を取り付けたことを特徴とする米の包装用保型容器。
【請求項３】
円筒形容器本体(1)を6本組又は4本組とし任意の銘柄を組み合わせて紙製ケース(9)にパック詰めした請求項２記載の米の包装用保型容器。
【考案の詳細な説明】
【技術分野】
【０００１】
本考案は、米の炊飯に使用される米を一度開封したら使い切るようにできるようにした包装用筒形容器に関するものである。
【背景技術】
【０００２】
一般に米の炊飯等に使用される米は、比較的少ない容量であっても３Kg詰め、５Kg詰め等のように米袋内に比較的多量に定量充填されている。これにより、使用の度に前記米袋から米を取出し、又はあらかじめ米袋から移し換えた保存容器から米を取り出して所要量計量して洗米をなし、電気炊飯器等を用いて炊飯することが行われている。
【０００３】
そして、従来においても、米を小分けした包装袋に関する発明考案が提供されている。
【特許文献１】特開２００４−０６５２１１号公報の考案
【特許文献２】特開２００３−３３４００４号公報の考案
【特許文献３】実用新案登録３０１５２７１号公報の考案
【０００４】
上記特許文献１の考案は、市販されている米は、Kg単位で販売に供されているため、購入した後、実際に家庭において炊飯される米の分量である合単位に量り直す必要があるとともに、米を、購入したときの状態を維持しつつ、保管することが困難であるので、計量の手間を省くことができるとともに、米の鮮度を保ち、炊飯時に、米の食味が落ちないように密封保存することができる米パックを提供するとしている。
そして、一度の食事において、米を炊く分量である１合、２合という具合に、合単位で米を密封するとともに、窒素ガス等を米パック内に封入したり、米パック内を真空状態にしたりする。さらに、１パック単体のみだけでなく、１パックを数個連結して構成するものであるとしている。
【０００５】
次に特許文献２の考案は、無洗米の食味を損なうことがないように、無洗米を好適な容器で密封すると共に、黴や雑菌の繁殖を防ぐことができる無洗米パックを提供する。
気体の非透過性を有する素材で構成された保存パックに、無洗米を充填し、減圧脱気して、密封した無洗米パックであって、無洗米には、所要の品質保存状態を維持するための劣化防止手段が施されている。劣化防止手段は、無洗米を充填する際の雰囲気を不活性ガスとすることで、減圧脱気の後に無洗米の粒子間に、少なくとも不活性ガス以外のガスが残留しないようにした。保存パックは、中身が視認できるような透明容器、及び、透明容
器の開口縁に封着される、白色シートからなる蓋とで構成したものとされている。
【０００６】
さらに特許文献３の考案は、米包装品の少量に定量充填した米を排出するのみで、新たに秤量ならびに洗米を行って調理することを回避した「米の包装袋」を提供するとし、短形状の袋に米を定量充填すると共に、前記袋２の縦横比を４〜６とした構成とされている。
【考案の開示】
【考案が解決しようとする課題】
【０００７】
ところが、特許文献１の考案は、米パックがプラスチックフィルムなどの厚さが極薄の包装材料に米が収容されているから、これをロール上に巻き取り重ねて保管したり、九十九折りに重ねたりして保管するため、中身の米がこすれ合ったりして砕けるおそれがある。
またこれらを冷蔵庫に収容したりするには嵩張って場所を取り不適当である。
【０００８】
次に、特許文献２の考案にあっては、有底角筒形状の箱型透明容器に無洗米を収容するようになっているから、浅底であっても面積をとると共に、深底にあっては一度に使い切れないときは、残った米が空気に触れて食味が落ちる原因は解消されないと共に、かなりの容積を占める結果となり、冷蔵庫等に縦置き保管する場合に場所を取り不適当である。
【０００９】
さらに、特許文献３の考案にあっては、米袋がビニールやポリエチレンなどからなる幅５３ｍｍ、長さ２７０ｍｍとかなり長い平袋であることにより、保管するのに長さが邪魔になると共に、この袋体を積んだりして保管する際に圧力がかかって袋が変形して内容物に変化を与えるおそれがある。また冷蔵庫等に収容する場合に縦に並べ置きりするのに安定性が悪い。
【課題を解決するための手段】
【００１０】
本考案は上記従来の課題を解決し、且つ考案の目的を達成するために提供するものである。
【００１１】
本考案の第１は米の包装用保型容器において、プラスチック形素材で成形した１合入り又は２合入り３合入り等の円筒形容器体に精米若しくは胚芽米の精米又は無洗米や発芽米等の米を容器本体の開口を接着剤付きシート素材の蓋体によって密封したものである。
【００１２】
本考案の第２は、米の包装用保型容器において、直径が５．０〜１０．０cm、高さが８．０〜１５．０cmの範囲内に設定したプラスチック形素材で成形した１合入り又は２合入り又は３合入り等の円筒形容器体の胴部に凹部を形成し、且つ商品名等表示・品質表示等表示を印刷した円形容器本体に巻き付けて熱収縮により密着させ、精米若しくは胚芽米の精米又は無洗米や発芽米等の米を収容すると共に、容器開口を容器本体と同一素材の蓋体を被冠し又は接着剤付きアルミニウム箔材で密封し、且つ当該蓋体の裏面に袋体入り脱酸素剤を取り付けたものである。
【００１３】
本考案の第３は、第2の考案に係る米の包装用保型容器において、円筒形容器本体を6本組又は4本組とし、任意の銘柄を組み合わせて紙製ケースにパック詰めしたものである。
【考案の効果】
【００１４】
本考案は上記の構成であるから次の効果がある。すなわち、米を詰める容器は真空圧空成形又は射出成形による樹脂加工であるため、積み重ねたりしても容器が変形したせず、内容物の品質を損なうことがない。
また、容器は１合入りや２合入りなど小分けしてあるから、必要に応じて適切な容量を選択することによって１度に使い切ることができて、無駄を省くことができる。
さらに、米を詰めた円筒形容器本体を２本、３本、４本、５本、６本とパック積めすることにより、スーパーマーケット又はコンビニエンスストアの店頭に缶ビールの陳列と同じ感覚で積み重ねて安定して陳列することができる
しかも、販売に段階で例えば６本入りのパック詰めした容器には、コシヒカリ２本＋あきたこまち２本＋ひとめぼれ２本のように好みの銘柄を適宜に組み合わせることができる。
また、購入後は、缶ビールやワンカップ酒と同じように1個でも冷蔵庫に安定して縦置きすることができ、密封状態で鮮度を保って保管しておくことができる。
【考案を実施するための最良の形態】
【００１５】
本考案を実施するための最良の形態は次のとおりである。すなわち、プラスチック素材で成形した１合入り又は２合入り等の円筒形容器体を成形し、当該容器に精米若しくは無洗米や発芽米等の米を容器の開口に蓋によって密封包装する。
また、筒形容器の直径Ｒを５．０〜１０．０cm、高さＨを８．０〜１５．０cmの範囲とし、米の収容量が１合入り又は２合入りから５合入りに小分けして密封してある。そして、その容器を６本入りのパック詰めとした場合、コシヒカリ２本＋あきたこまち２本＋ひとめぼれ２本とする銘柄の組み合わせにする。
【実施例】
【００１６】
次に本考案の実施例を図面に基づいて説明する。１はプラスチック素材で成形した１合入り、２合入り、３合入り、４合入り、５合入り等適宜の容量に設定した円筒形容器本体であり、頂部に広口の開口１1が設けられている。また、当該容器の直径Ｒを５．０ｃｍ〜１０．０ｃｍ、高さＨを８．０ｃｍ〜１５．０ｃｍの範囲内に設定する。さらに、容器本体の胴部には、手で持ち易いように括れた凹部２を形成してある。３はその容器本体１に収容するための米であり、その銘柄はコシヒカリ、あきたこまち、ひとめぼれ、ササニシキ等好みの精米を選定して収容する。なお、前記の精米に代えて、玄米、もち米、胚芽精米、発芽米等を選定せいて収納することができる。さらに、上記各種の米を無洗米に加工して収容することも可能である。４は容器体１の開口１1を閉止する蓋体であり、図示例は開口１1の縁面に押圧接着剤付きのアルミニウム箔材製の蓋体４で閉止し、又は容器本体１と同材の蓋体４を被冠させて閉止することもできる。
５はシュリンク包装に用いられる熱収縮性プラスチックフィルムであり、いわゆる腹巻き状の円筒体を容器本体１の胴部１1に巻き付けた後、熱収縮作用で当該胴部に密着させてある。
６は容器本体１または円筒形熱収縮性プラスチックフィルム５に印刷表示した商品名等表示、７は同じく容器本体１または円筒形熱収縮性プラスチックフィルム５に印刷表示した品質等表示、８は蓋体４の裏面に接着剤等で取付けた袋体入りの脱酸素剤、９は容器本体１を6本パックその他複数本詰め用の紙製ケース、１０は紙製ケース９の指掛け孔を示す。
【００１７】
「具体的な加工例」
本考案の具体的加工例を説明する。
（１）  真空圧空成形又は射出成形によって、１合入り、２合入り、３合入り、４合入り、５合入りの中から設定の広口の開口１1を有する凹部２付きの円筒形容器本体１を成形する。
（２）  上記の所定容量入り円筒形容器本体１に、あきたこまち、ひとめぼれ、ササニシキ等の精米もしくは発芽精米または玄米、もち米等を選定し、これを適宜にまたは上記各種の米を無洗米にして詰める。
（３）  上記の米を収容した際に当該米の鮮度を保つための窒素ガスを封入すると共に真空を保持した状態で、あらかじめ裏面４1に袋体入り脱酸素剤８を貼付してある接着剤付きアルミニウム箔材製蓋体４を円筒形容器本体１の開口１1の縁面に押圧接着して密封する。
（４）  次に、容器本体１に商品名等の表示部６、品質表示等表示部７を印刷した円筒形の熱収縮性プラスチックフィルム５を円筒形容器本体の胴部１2に巻き付けて装着し、熱収縮によって当該胴部１2に密着させる。（図１）
（５）  上記（４）の米を詰めた円筒形容器体１をあらかじめ販売の段階で任意の銘柄ごとに組み合わせ、又は購入の段階で好みの銘柄の米入りの円筒形容器本体１を組み合わせて６本入りの紙製ケース９でパック詰めに収める。（図３）
【図面の簡単な説明】
【００１８】
【図１】本考案に係る米の包装用保型容器の斜視図である。
【図２】米入り容器を６本入りの紙パックに収めた状態の斜視図である。
【符号の説明】
【００１９】
１……容器本体
２……容器の凹部
３……米
４……蓋体
５……熱収縮性プラスチックフィルム
６……商品名等表示部
７……品質表示等表示部
８……袋体入り脱酸素材
９……パック詰め用紙製ケース
１０……紙製ケースの指掛け孔
【図１】
0003127908.tif 000003
【図２】
0003127908.tif 000004